【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
地理的領域にわたり個別の位置に分散され且つ地理的領域におけるワイヤレス通信ネットワーク信号を受動的に監視するように構成されたワイヤレスセンサ装置であって、
ベースステーションにより送信されるベースステーション信号を受信し、このベースステーション信号は、セルラーネットワーク規格に従って１つ以上の移動装置へ送信するために前記ベースステーションによりフォーマットされ、
地理的領域内の移動装置から装置信号を受信し、この装置信号は、セルラーネットワーク規格に従って前記ベースステーションへ送信するために前記移動装置によりフォーマットされ、
前記装置信号及び前記ベースステーション信号に基づいて到着時間データを発生し、及び
前記到着時間データをワイヤレスセンサ装置から送信する、
ように各々構成されたワイヤレスセンサ装置、及び
前記到着時間データを受信しそして３つ以上のワイヤレスセンサ装置により発生された到着時間データを使用して方程式の系を解くことに基づいて移動装置の位置を識別するように構成されたデータ分析システム、
を備え、前記方程式の系は、ｎ個の方程式、
【数１】
2018508757.tif 000001
を有し、ここで、
【数２】
2018508757.tif 000002
は、移動装置の位置を表わし、
【数３】
2018508757.tif 000003
は、ベースステーションの位置を表わし、
【数４】
2018508757.tif 000004
は、ｉ番目のワイヤレスセンサ装置の位置を表わし、ｃは、光速を表わし、そしてδτiは、ｉ番目のワイヤレスセンサ装置により発生された時間差を表わすワイヤレス信号源ロケーターシステム。
【請求項２】
前記ワイヤレスセンサ装置は、多数の個別のセルラーネットワーク規格のいずれかに従ってフォーマットされたセルラーネットワーク信号を受動的に監視するよう構成された、請求項１に記載のシステム。
【請求項３】
前記ワイヤレス通信ネットワーク信号を受動的に監視することは、ワイヤレス通信ネットワークからのサービスを要求せずにワイヤレス通信ネットワークにおいて交換されるワイヤレス信号を受信することを含む、請求項１に記載のシステム。
【請求項４】
前記ベースステーション信号は、ブロードキャストチャンネル信号を含み、及び
前記装置信号は、ランダムアクセスチャンネル（ＲＡＣＨ）要求を含み、移動装置は、そのＲＡＣＨ要求と移動装置におけるブロードキャストチャンネル信号とを同期させるためにセルラーネットワーク規格に従って構成される、請求項１に記載のシステム。
【請求項５】
前記ベースステーション信号は、ダウンリンク信号を含み、及び
前記装置信号は、アップリンク信号を含み、移動装置は、そのアップリンク信号とベースステーションにおけるダウンリンク信号とを同期させるためにセルラーネットワーク規格に従って構成される、請求項１に記載のシステム。
【請求項６】
前記データ分析システムは、ベースステーション信号に関連したベースステーション識別子を使用してベースステーションの位置を識別するように構成される、請求項１に記載のシステム。
【請求項７】
各ワイヤレスセンサ装置は、
前記ワイヤレスセンサ装置の周りのローカルワイヤレス環境においてＲＦ信号を検出するように構成された高周波（ＲＦ）インターフェイス、
前記ＲＦ信号を処理しそして前記到着時間データを発生するように構成された信号分析サブシステム、及び
前記到着時間データをリモートシステムへ送信するように構成された通信インターフェイス、
を備えた請求項１に記載のシステム。
【請求項８】
各ワイヤレスセンサ装置は、前記ＲＦインターフェイス、信号分析サブシステム、通信インターフェイス、及び電源を収容する専用ハウジングを備え、前記電源は、前記ＲＦインターフェイス、信号分析サブシステム及び通信インターフェイスに電力供給するように構成された、請求項７に記載のシステム。
【請求項９】
前記通信インターフェイスは、前記到着時間データを含むメッセージを送信するように構成され、そして前記メッセージは、前記到着時間データを発生したワイヤレスセンサ装置の位置を指示する、請求項７に記載のシステム。
【請求項１０】
前記データ分析システムは、前記ワイヤレスセンサ装置の動作を遠隔制御するよう構成された中央制御システムを備えている、請求項７に記載のシステム。
【請求項１１】
移動装置の位置を決定する方法において、
地理的領域にわたって個別の位置に分散されたワイヤレスセンサ装置により発生されるデータをデータ分析システムで受信し、ワイヤレスセンサ装置は、地理的領域におけるワイヤレス通信ネットワーク信号を受動的に監視するように構成され、前記データは、
ベースステーションにより送信されてワイヤレスセンサ装置により受信されるベースステーション信号であって、セルラーネットワーク規格に従って１つ以上の移動装置へ送信するために前記ベースステーションによりフォーマットされるベースステーション信号、
地理的領域内の移動装置によって送信されてワイヤレスセンサ装置により受信される装置信号であって、セルラーネットワーク規格に従って前記ベースステーションへ送信するために移動装置によりフォーマットされる装置信号、
に基づき各ワイヤレスセンサ装置により発生される到着時間情報を含むものであり、及び
３つ以上のワイヤレスセンサ装置により発生される前記到着時間情報を使用して方程式の系を解くことに基づいて移動装置の位置を前記データ分析システムの動作により識別する、
ことを含み、前記方程式の系は、ｎ個の方程式、
【数５】
2018508757.tif 000005
を有し、ここで、
【数６】
2018508757.tif 000006
は、移動装置の位置を表わし、
【数７】
2018508757.tif 000007
は、ベースステーションの位置を表わし、
【数８】
2018508757.tif 000008
は、ｉ番目のワイヤレスセンサ装置の位置を表わし、ｃは、光速を表わし、そしてδτiは、ｉ番目のワイヤレスセンサ装置により発生された時間差を表わす方法。
【請求項１２】
前記ベースステーション信号は、ブロードキャストチャンネル信号を含み、及び
前記装置信号は、ランダムアクセスチャンネル（ＲＡＣＨ）要求を含み、移動装置は、そのＲＡＣＨ要求と移動装置におけるブロードキャストチャンネル信号とを同期させるためにセルラーネットワーク規格に従って構成される、請求項１１に記載の方法。
【請求項１３】
前記ベースステーション信号は、ダウンリンク信号を含み、及び
前記装置信号は、アップリンク信号を含み、移動装置は、そのアップリンク信号とベースステーションにおけるダウンリンク信号とを同期させるためにセルラーネットワーク規格に従って構成される、請求項１１に記載の方法。
【請求項１４】
前記データ分析システムは、ベースステーション信号に関連したベースステーション識別子を使用してベースステーションの位置を識別する、請求項１１に記載の方法。
【請求項１５】
移動装置の位置を決定する方法において、
地理的領域にわたって個別の位置に分散されたワイヤレスセンサ装置により発生されるデータをデータ分析システムで受信し、ワイヤレスセンサ装置は、地理的領域におけるワイヤレス通信ネットワーク信号を受動的に監視するように構成され、前記データは、
地理的領域内の移動装置によって送信されてワイヤレスセンサ装置により受信される装置信号であって、ワイヤレス通信ネットワークプロトコルに従ってベースステーションへ送信するために移動装置によりフォーマットされる装置信号、及び
ワイヤレスセンサ装置により受信される基準信号、
に基づき各ワイヤレスセンサ装置により発生される到着時間情報を含むものであり、及び
３つ以上のワイヤレスセンサ装置により発生される前記到着時間情報の分析に基づいて移動装置の位置を前記データ分析システムの動作により識別する、
ことを含み、
前記ワイヤレス通信ネットワークプロトコルは、セルラーネットワーク規格を含み、前記基準信号は、ベースステーションにより送信されるベースステーション信号を含み、このベースステーション信号は、セルラーネットワーク規格に従って１つ以上の移動装置へ送信するためにベースステーションによりフォーマットされ、
前記移動装置の位置は、ｎ個のワイヤレスセンサ装置により発生される到着時間情報に基づいて方程式の系を解くことにより識別され、その方程式の系は、ｎ個の方程式、
【数９】
2018508757.tif 000009
を有し、ここで、
【数１０】
2018508757.tif 000010
は、移動装置の位置を表わし、
【数１１】
2018508757.tif 000011
は、ベースステーションの位置を表わし、
【数１２】
2018508757.tif 000012
は、ｉ番目のワイヤレスセンサ装置の位置を表わし、ｃは、光速を表わし、そしてδτiは、ｉ番目のワイヤレスセンサ装置により発生された時間差を表わす方法。
【請求項１６】
前記ベースステーション信号は、ブロードキャストチャンネル信号を含み、及び
前記装置信号は、ランダムアクセスチャンネル（ＲＡＣＨ）要求を含み、移動装置は、そのＲＡＣＨ要求と移動装置におけるブロードキャストチャンネル信号とを同期させるためにセルラーネットワーク規格に従って構成される、請求項１５に記載の方法。
【請求項１７】
前記ベースステーション信号は、ダウンリンク信号を含み、及び
前記装置信号は、アップリンク信号を含み、移動装置は、そのアップリンク信号とベースステーションにおけるダウンリンク信号とを同期させるためにセルラーネットワーク規格に従って構成される、請求項１５に記載の方法。
【請求項１８】
前記データ分析システムは、ベースステーション信号に関連したベースステーション識別子を使用してベースステーションの位置を識別する、請求項１５に記載の方法。